(57)【要約】【課題】  遊技者側やホール側が有利・不利になることなくパチンコ球の転動方向に影響を与える役物を有したパチンコ機を提供すること。【解決手段】  第２種中央役物１では、可動ベルト６が、ガラス５３の面に向かって下方に傾斜した状態で、且つ、左右の高さが等しい位置に配置されている。さらに、可動ベルト６は、左から右に向かって移動している。従って、中央出口５から可動ベルト６に落下したパチンコ球は、可動ベルト６の移動方向である左から右の方向を横切って、中央出口５から正面側へ転動する際に、可動ベルト６に落下されるときの速度や回転などに応じて、可動ベルト６上を左から右に流されながら可動ベルト６の正面側より無作為に落下する。【選択図】  図１
2005334368.tif 000002
【特許請求の範囲】
【請求項１】
透明板と、
前記透明板に対向して配設された遊技盤と、
前記遊技盤に設けられた中央役物と、
前記中央役物に設けられた可動ベルトと、
前記可動ベルトの下方で前記中央役物に配置された可変可能な誘導手段と、
前記誘導手段から放出されたパチンコ球が前記遊技盤の上で転動する領域に配設された第１種始動口と、
前記可動ベルトにパチンコ球を載上させるための載上手段と、を備えたこと、を特徴とするパチンコ機。
【請求項２】
請求項１に記載するパチンコ機であって、
前記誘導手段の入口の大きさを変更可能とする第１変更手段を備えたこと、を特徴とするパチンコ機。
【請求項３】
請求項１に記載するパチンコ機であって、
前記誘導手段の入口の位置を変更可能とする第２変更手段を備えたこと、を特徴とするパチンコ機。
【請求項４】
透明板と、
前記透明板に対向して配設された遊技盤と、
前記遊技盤に設けられた中央役物と、
前記中央役物に設けられた可動ベルトと、
前記可動ベルトの下方で前記中央役物に配置された可変可能な第２種Ｖゾーンと、
前記可動ベルトにパチンコ球を載上させるための載上手段と、を備えたこと、を特徴とするパチンコ機。
【請求項５】
請求項４に記載するパチンコ機であって、
前記第２種Ｖゾーンの入口の大きさを変更可能とする第３変更手段を備えたこと、を特徴とするパチンコ機。
【請求項６】
請求項４に記載するパチンコ機であって、
前記第２種Ｖゾーンの入口の位置を変更可能とする第２変更手段を備えたこと、を特徴とするパチンコ機。
【請求項７】
請求項１乃至請求項６のいずれか一つに記載するパチンコ機であって、
前記可動ベルトは、前記透明板に向かって下方に傾斜した状態で配置されたこと、を特徴とするパチンコ機。
【請求項８】
請求項１乃至請求項７のいずれか一つに記載するパチンコ機であって、
前記載上手段を前記可動ベルトの他端側の上方に配設するとともに、前記可動ベルトを他端側から一端側に向かって回転させること、を特徴とするパチンコ機。
【請求項９】
請求項１乃至請求項８のいずれか一つに記載するパチンコ機であって、
前記中央役物に設けられるとともにパチンコ球の転動が可能なワープ通路を備え、
前記ワープ通路の出口を前記載上手段として使用したこと、を特徴とするパチンコ機。
【請求項１０】
請求項１乃至請求項９のいずれか一つに記載するパチンコ機であって、
前記中央役物に設けられた可変表示装置を備えたこと、を特徴とするパチンコ機。
【請求項１１】
請求項１乃至請求項１０のいずれか一つに記載するパチンコ機であって、
前記可動ベルトの下側に形成される空間と前記遊技盤の側とを遮る保護パネルを備えたこと、を特徴とするパチンコ機。
【請求項１２】
請求項１乃至請求項１１のいずれか一つに記載するパチンコ機であって、
前記可動ベルトの下側に形成される空間の高さがパチンコ球の直径よりも小さいこと、を特徴とするパチンコ機。
【請求項１３】
請求項１乃至請求項１２のいずれか一つに記載するパチンコ機であって、
前記可動ベルトの上下間がパチンコ球の直径よりも小さいこと、を特徴とするパチンコ機。
【請求項１４】
請求項１乃至請求項１３のいずれか一つに記載するパチンコ機であって、
前記可動ベルトは、前記ガラス面に対しパチンコ球の直径よりも大きい間隔を確保しつつ、前記遊技盤から突出させたこと、を特徴とするパチンコ機。
【請求項１５】
請求項１乃至請求項１４のいずれか一つに記載するパチンコ機であって、
前記可動ベルトの下方の位置で前記遊技盤に配設された遊技釘を備え、
前記可動ベルトと前記ガラス面との間隔をパチンコ球の直径よりも大きくさせたこと、を特徴とするパチンコ機。
【請求項１６】
請求項１乃至請求項１５のいずれか一つに記載するパチンコ機であって、
前記可動ベルトの表面は、摩擦抵抗の高い素材で構成されていること、を特徴とするパチンコ機。
【請求項１７】
請求項１乃至請求項１６のいずれか一つに記載するパチンコ機であって、
前記可動ベルトの表面に形成された複数の凸部を備えたこと、を特徴とするパチンコ機。
【請求項１８】
請求項１乃至請求項１７のいずれか一つに記載するパチンコ機であって、
前記可動ベルトの裏面に付設された磁性体を備えたこと、を特徴とするパチンコ機。
【請求項１９】
請求項１乃至請求項１８のいずれか一つに記載するパチンコ機であって、
前記駆動源の作動を電源投入後に確認する作動確認手段を備えたこと、を特徴とするパチンコ機。
【請求項２０】
請求項１９に記載するパチンコ機であって、
前記作動確認手段を割り込み処理で実行させたこと、を特徴とするパチンコ機。
【発明の詳細な説明】
【技術分野】
【０００１】
本発明は、パチンコ球の転動方向に影響を与えるベルトを有したパチンコ機に関するものである。
【背景技術】
【０００２】
従来のパチンコ機には、例えば、パチンコ球に接触抵抗を付与する抵抗部材として、一対の回転するベルトを設け、一対のベルトの回転速度を制御することで、一対のベルト間に挟まれたパチンコ球の落下速度を任意に設定したり、一対のベルトの回転速度を異なるもので制御することで、一対のベルト間に挟まれたパチンコ球の落下方向を任意に設定したりしている（例えば、特許文献１参照）。
【特許文献１】特開平１０−２７７２１８号公報
【発明の開示】
【発明が解決しようとする課題】
【０００３】
しかしながら、パチンコ球の落下方向を入賞口などの方向に向くように、一対のベルトの回転速度を制御すれば、パチンコ球の入賞率は高くなることから、遊技者側は有利となる一方でホール側は不利となる。その反対に、パチンコ球の落下方向を入賞口などの方向に向かないように、一対のベルトの回転速度を制御すれば、パチンコ球の入賞率は低くなることから、遊技者側は不利となる一方でホール側は有利となる。
【０００４】
そこで、本発明は、上述した点を鑑みてなされたものであり、遊技者側やホール側が有利・不利になることなくパチンコ球の転動方向に影響を与える役物を有したパチンコ機を提供することを課題とする。
【課題を解決するための手段】
【０００５】
この課題を解決するために成された請求項１に係る発明は、パチンコ機であって、透明板と、前記透明板に対向して配設された遊技盤と、前記遊技盤に設けられた中央役物と、前記中央役物に設けられた可動ベルトと、前記可動ベルトの下方で前記中央役物に配置された可変可能な誘導手段と、前記誘導手段から放出されたパチンコ球が前記遊技盤の上で転動する領域に配設された第１種始動口と、前記可動ベルトにパチンコ球を載上させるための載上手段と、を備えたこと、を特徴としている。
【０００６】
また、請求項２に係る発明は、請求項１に記載するパチンコ機であって、前記誘導手段の入口の大きさを変更可能とする第１変更手段を備えたこと、を特徴としている。
【０００７】
また、請求項３に係る発明は、請求項１に記載するパチンコ機であって、前記誘導手段の入口の位置を変更可能とする第２変更手段を備えたこと、を特徴としている。
【０００８】
また、請求項４に係る発明は、パチンコ機であって、透明板と、前記透明板に対向して配設された遊技盤と、前記遊技盤に設けられた中央役物と、前記中央役物に設けられた可動ベルトと、前記可動ベルトの下方で前記中央役物に配置された可変可能な第２種Ｖゾーンと、前記可動ベルトにパチンコ球を載上させるための載上手段と、を備えたこと、を特徴としている。
【０００９】
また、請求項５に係る発明は、請求項４に記載するパチンコ機であって、前記第２種Ｖゾーンの入口の大きさを変更可能とする第３変更手段を備えたこと、を特徴としている。
【００１０】
また、請求項６に係る発明は、請求項４に記載するパチンコ機であって、前記第２種Ｖゾーンの入口の位置を変更可能とする第２変更手段を備えたこと、を特徴としている。
【００１１】
また、請求項７に係る発明は、請求項１乃至請求項６のいずれか一つに記載するパチンコ機であって、前記可動ベルトは、前記透明板に向かって下方に傾斜した状態で配置されたこと、を特徴としている。
【００１２】
また、請求項８に係る発明は、請求項１乃至請求項７のいずれか一つに記載するパチンコ機であって、前記載上手段を前記可動ベルトの他端側の上方に配設するとともに、前記可動ベルトを他端側から一端側に向かって回転させること、を特徴としている。
【００１３】
また、請求項９に係る発明は、請求項１乃至請求項８のいずれか一つに記載するパチンコ機であって、前記中央役物に設けられるとともにパチンコ球の転動が可能なワープ通路を備え、前記ワープ通路の出口を前記載上手段として使用したこと、を特徴としている。
【００１４】
また、請求項１０に係る発明は、請求項１乃至請求項９のいずれか一つに記載するパチンコ機であって、前記中央役物に設けられた可変表示装置を備えたこと、を特徴としている。
【００１５】
また、請求項１１に係る発明は、請求項１乃至請求項１０のいずれか一つに記載するパチンコ機であって、前記可動ベルトの下側に形成される空間と前記遊技盤の側とを遮る保護パネルを備えたこと、を特徴としている。
【００１６】
また、請求項１２に係る発明は、請求項１乃至請求項１１のいずれか一つに記載するパチンコ機であって、前記可動ベルトの下側に形成される空間の高さがパチンコ球の直径よりも小さいこと、を特徴としている。
【００１７】
また、請求項１３に係る発明は、請求項１乃至請求項１２のいずれか一つに記載するパチンコ機であって、前記可動ベルトの上下間がパチンコ球の直径よりも小さいこと、を特徴としている。
【００１８】
また、請求項１４に係る発明は、請求項１乃至請求項１３のいずれか一つに記載するパチンコ機であって、前記可動ベルトは、前記ガラス面に対しパチンコ球の直径よりも大きい間隔を確保しつつ、前記遊技盤から突出させたこと、を特徴としている。
【００１９】
また、請求項１５に係る発明は、請求項１乃至請求項１４のいずれか一つに記載するパチンコ機であって、前記可動ベルトの下方の位置で前記遊技盤に配設された遊技釘を備え、前記可動ベルトと前記ガラス面との間隔をパチンコ球の直径よりも大きくさせたこと、を特徴としている。
【００２０】
また、請求項１６に係る発明は、請求項１乃至請求項１５のいずれか一つに記載するパチンコ機であって、前記可動ベルトの表面は、摩擦抵抗の高い素材で構成されていること、を特徴としている。
【００２１】
また、請求項１７に係る発明は、請求項１乃至請求項１６のいずれか一つに記載するパチンコ機であって、前記可動ベルトの表面に形成された複数の凸部を備えたこと、を特徴としている。
【００２２】
また、請求項１８に係る発明は、請求項１乃至請求項１７のいずれか一つに記載するパチンコ機であって、前記可動ベルトの裏面に付設された磁性体を備えたこと、を特徴としている。
【００２３】
また、請求項１９に係る発明は、請求項１乃至請求項１８のいずれか一つに記載するパチンコ機であって、前記駆動源の作動を電源投入後に確認する作動確認手段を備えたこと、を特徴としている。
【００２４】
また、請求項２０に係る発明は、請求項１９に記載するパチンコ機であって、前記作動確認手段を割り込み処理で実行させたこと、を特徴としている。
【発明の効果】
【００２５】
すなわち、本発明のパチンコ機では、可動ベルトの下方には第１種始動口へと導く可変可能な誘導手段が設けられているが、この点、可動ベルトに載上されたパチンコ球は、回転中の可動ベルトを転動する際に、可動ベルトに載上されるときの速度や回転などに応じて、可動ベルトから無作為に落下するので、遊技者側やホール側が有利・不利になることなくパチンコ球の転動方向に影響を与えることができる。
【００２６】
また、本発明のパチンコ機では、可動ベルトの下方には可変可能な第２種Ｖゾーンが設けられているが、この点、可動ベルトに載上されたパチンコ球は、回転中の可動ベルトを転動する際に、可動ベルトに載上されるときの速度や回転などに応じて、可動ベルトから無作為に落下するので、遊技者側やホール側が有利・不利になることなくパチンコ球の転動方向に影響を与えることができる。
【発明を実施するための最良の形態】
【００２７】
以下、本発明の実施の形態を図面を参照にして説明する。
先ず、第１実施の形態のパチンコ機について説明する。
図１は、第２種のパチンコ機の遊技盤の中央に配設される第２種中央役物を示した斜視図である。図１に示すように、第２種中央役物１には、その中央上部付近において、一対の開閉翼２Ａ，２Ｂが軸支されている。また、一対の開閉翼２Ａ，２Ｂの間には、背面に向かって下りに傾斜した受皿３が配設されている。また、受皿３は、第２種中央役物１の背面側に内設されるとともにパチンコ球が流下することが可能な背面通路４に連通している。
【００２８】
また、第２種中央役物１には、その中央奥部付近において、背面通路４に連通するとともにパチンコ球が通過することが可能な中央出口５が形成されている。そして、中央出口５の下方においては、左右の高さが等しい可動ベルト６が設けられている。さらに、可動ベルト６の下方にあっては、左右に振られた動作を繰り返す第２種Ｖゾーン７が正面の方に突き出された状態で設けられている。
【００２９】
従って、図２に示すように、開閉翼２Ａ，２Ｂが開放されている際に進入したパチンコ球は、受皿３を介して、背面通路４を流下した後、中央出口５から可動ベルト６に落下する。
【００３０】
この点、可動ベルト６は、上述したように、左右の高さが等しく設けられているが、その一方で、第２種中央役物１の奥側から正面に向けて下りに傾斜している。また、可動ベルト６は、パチンコ球が転動し得る上側のベルトに関しては、左から右に向かった矢印Ｍ１に移動している。
【００３１】
従って、可動ベルト６に落下したパチンコ球は、その落下した際の転動方向や可動ベルト６の下り傾斜によって、中央出口５から正面側に向けて可動ベルト６上を横切るように転動しようとするが、可動ベルト６の移動方向と交差するため、可動ベルト６の移動方向に流されながら、可動ベルト６の正面側から落下し、左右に振られた動作を繰り返す第２種Ｖゾーン７又はその周辺に向けて落下することになる。
【００３２】
ここで、図３に第２種中央役物１の筐体１１の三面図（第三角法による正面図・平面図・側面図をあわせて表したもの。以下、同じ。）を示す。また、図４に２つのモータ２１の三面図を示し、図５に可動ベルト６の一方のプーリー３１の二面図（第三角法による正面図・側面図をあわせて表したもの。以下、同じ。）を示し、図６に可動ベルト６の他方のプーリー４１の三面図を示し、図７に開閉翼２Ａの二面図を示し、図８に開閉翼２Ｂの二面図を示し、図７に第２種Ｖゾーン７が設けられた第２種Ｖゾーン可動片６１の四面図（第三角法による正面図・平面図・側面図・背面図をあわせて表したもの。以下、同じ。）を示す。
【００３３】
尚、図３の筐体１１の軸穴１２に対しては、図６の他方のプーリー４１の軸４２が軸支される。また、図３の筐体１１の軸穴１３に対しては、図５の一方のプーリー３１の軸３２が軸支され、さらに、その軸３２に対しては、図４のモーター２１の駆動軸２２が直結される。これにより、可動ベルト６を駆動させることができる。
また、図３の筐体１１の軸穴１４に対しては、図７の第２種Ｖゾーン可動片６１の軸６２が軸支され、さらに、その軸６２に対しては、図４のモーター２１の駆動軸２２が直結される。これにより、第２種Ｖゾーン可動片６１を駆動させることができる。
【００３４】
また、図１４に、第１実施の形態に係るパチンコ機５１の正面図を示す。図１４に示すように、可動ベルト６の正面にはガラス５３が配置される。また、第１実施の形態に係るパチンコ機５１の遊技盤５２（開閉扉２Ａ，２Ｂが閉じた状態）の正面図を図８に示し、当該遊技盤５２の平面図を図９に示し、当該遊技盤５２の側面図を図１０に示す。また、第１実施の形態に係るパチンコ機５１の遊技盤５２（開閉扉２Ａ，２Ｂが開いた状態）の正面図を図１１に示し、当該遊技盤５２の平面図を図１２に示し、当該遊技盤５２の側面図を図１３に示す。
【００３５】
以上詳細に説明したように、第１実施の形態のパチンコ機５１の第２種中央役物１では、可動ベルト６が、ガラス５３の面に向かって下方に傾斜した状態で、且つ、左右の高さが等しい位置に配置されている。さらに、可動ベルト６は、左から右に向かって移動している。従って、中央出口５から可動ベルト６に落下したパチンコ球は、可動ベルト６の移動方向である左から右の方向を横切って、中央出口５から正面側へ転動する際に、可動ベルト６に落下されるときの速度や回転などに応じて、可動ベルト６上を左から右に流されながら可動ベルト６の正面側より無作為に落下するので、遊技者側やホール側が有利・不利になることなくパチンコ球の転動方向に影響を与えることができる。
【００３６】
また、このとき、可動ベルト６の正面側の下方には、第２種Ｖゾーン７が左右に振られた状態で往復移動しているので、可動ベルト６の正面側より無作為に落下するパチンコ球が第２種Ｖゾーン７に入賞するか否かも無作為に行われることになる。
【００３７】
次に、第２実施の形態のパチンコ機について説明する。
図１５は、第２種のパチンコ機の遊技盤の中央に配設される第２種中央役物を示した斜視図である。図１５に示すように、第２種中央役物１０１には、その中央上部付近において、一対の開閉翼１０２Ａ，１０２Ｂが軸支されている。また、一対の開閉翼１０２Ａ，１０２Ｂの間には、背面に向かって下りに傾斜した受皿１０３が配設されている。また、受皿１０３は、第２種中央役物１０１の背面側に内設されるとともにパチンコ球が流下することが可能な背面通路１０４に連通している。
【００３８】
また、第２種中央役物１０１には、その中央奥部付近において、背面通路１０４に連通するとともにパチンコ球が通過することが可能な中央出口１０５が形成されている。そして、中央出口１０５の下方においては、左右の高さが等しい可動ベルト１０６が設けられている。さらに、可動ベルト１０６の下方にあっては、正逆方向に回動動作を繰り返すことにより大きさが変化する第２種Ｖゾーン１０７が正面の方に突き出された状態で設けられている。
【００３９】
従って、図１６に示すように、開閉翼１０２Ａ，１０２Ｂが開放されている際に進入したパチンコ球は、受皿１０３を介して、背面通路１０４を流下した後、中央出口１０５から可動ベルト１０６に落下する。
【００４０】
この点、可動ベルト１０６は、上述したように、左右の高さが等しく設けられているが、その一方で、第２種中央役物１０１の奥側から正面に向けて下りに傾斜している。また、可動ベルト１０６は、パチンコ球が転動し得る上側のベルトに関しては、左から右に向かった矢印Ｍ２に移動している。
【００４１】
従って、可動ベルト１０６に落下したパチンコ球は、その落下した際の転動方向や可動ベルト１０６の下り傾斜によって、中央出口１０５から正面側に向けて可動ベルト１０６上を横切るように転動しようとするが、可動ベルト１０６の移動方向と交差するため、可動ベルト１０６の移動方向に流されながら、可動ベルト１０６の正面側から落下し、正逆方向に回動動作を繰り返すことにより大きさが変化する第２種Ｖゾーン１０７又はその周辺に向けて落下することになる。
【００４２】
ここで、図１７に第２種中央役物１０１の筐体１１１の三面図を示す。また、図１８に２つのモータ１２１の三面図を示し、図１９に可動ベルト１０６の一方のプーリー１３１の二面図を示し、図２０に可動ベルト１０６の他方のプーリー１４１の二面図を示し、図２１に開閉翼１０２Ａの三面図を示し、図２２に開閉翼１０２Ｂの三面図を示し、図２１に第２種Ｖゾーン１０７が設けられた第２種Ｖゾーン可動片１６１の三面図を示す。
【００４３】
尚、図１７の筐体１１１の軸穴１１２に対しては、図２０の他方のプーリー１４１の軸１４２が軸支される。また、図１７の筐体１１１の軸穴１１３に対しては、図１９の一方のプーリー１３１の軸１３２が軸支され、さらに、その軸１３２に対しては、図１８のモーター１２１の駆動軸２２が直結される。これにより、可動ベルト１０６を駆動させることができる。
また、図１７の筐体１１１の軸穴１１４に対しては、図２１の第２種Ｖゾーン可動片１６１の軸１６２が軸支され、さらに、その軸１６２に対しては、図１８のモーター１２１の駆動軸１２２が直結される。これにより、第２種Ｖゾーン可動片１６１を駆動させることができる。
【００４４】
また、図２８に、第２実施の形態に係るパチンコ機１５１の正面図を示す。図２８に示すように、可動ベルト１０６の正面にはガラス１５３が配置される。また、第２実施の形態に係るパチンコ機５１の遊技盤１５２（開閉扉１０２Ａ，１０２Ｂが閉じた状態）の正面図を図２２に示し、当該遊技盤１５２の平面図を図２３に示し、当該遊技盤１５２の側面図を図２４に示す。また、第２実施の形態に係るパチンコ機１０１の遊技盤１５２（開閉扉１０２Ａ，１０２Ｂが開いた状態）の正面図を図２５に示し、当該遊技盤１５２の平面図を図２６に示し、当該遊技盤１５２の側面図を図２７に示す。
【００４５】
以上詳細に説明したように、第２実施の形態のパチンコ機１５１の第２種中央役物１０１では、可動ベルト１０６が、ガラス１５３の面に向かって下方に傾斜した状態で、且つ、左右の高さが等しい位置に配置されている。さらに、可動ベルト１０６は、左から右に向かって移動している。従って、中央出口１０５から可動ベルト１０６に落下したパチンコ球は、可動ベルト１０６の移動方向である左から右の方向を横切って、中央出口１０５から正面側へ転動する際に、可動ベルト１０６に落下されるときの速度や回転などに応じて、可動ベルト１０６上を左から右に流されながら可動ベルト１０６の正面側より無作為に落下するので、遊技者側やホール側が有利・不利になることなくパチンコ球の転動方向に影響を与えることができる。
【００４６】
また、このとき、可動ベルト１０６の正面側の下方には、第２種Ｖゾーン１０７が正逆方向に回動動作を繰り返すことによりその大きさが変化するので、可動ベルト１０６の正面側より無作為に落下するパチンコ球が第２種Ｖゾーン１０７に入賞するか否かも無作為に行われることになる。
【００４７】
次に、第３実施の形態のパチンコ機について説明する。
図２９は、第３実施の形態である第１種のパチンコ機の遊技盤の中央に配設される第１種中央役物を示した斜視図である。図２９に示すように、第１種中央役物３０１には、その正面の左側中央付近において、特別図柄などを表示する液晶表示装置３０２が配設されている。
【００４８】
また、第１種中央役物３０１の上端面の右側付近には、パチンコ球が通過することが可能なワープ入口３０３が形成されている。そして、ワープ入口３０３は、パチンコ球が流下し得るように第１種中央役物３０１が貫通されたワープ通路３０４に連通している。一方、第１種中央役物３０１の正面の右側下部付近には、ワープ通路３０４に連通するとともにパチンコ球が通過することが可能なワープ出口３０５が形成されている。
【００４９】
また、ワープ出口３０５の下方には、左右の高さが等しい可動ベルト３０６が形成されている。さらに、可動ベルト３０６の左端側の下方であって、液晶表示装置３０２の下方中央に向かって下りに傾斜したパチンコ球が流下し得るステージ３０７が形成されている。この点、ステージ３０７の右側端部３１０は、可動ベルト３０６の下方に設けられた長穴３７１に沿って左右に往復移動することにより、図２９と図３０に示すように、大きさが変化する。さらに、ステージ３０７の左端側の下方であって、液晶表示装置３０２の下方中央には、パチンコ球が流下し得る中央通路３０８が形成されている。そして、中央通路３０８は、第１種中央役物３０１の正面の中央下部付近において形成されるとともにパチンコ球が通過することが可能な中央出口３０９に連通している。
【００５０】
従って、ワープ入口３０３に進入したパチンコ球は、ワープ通路３０４を介して、ワープ出口３０５から放出され、可動ベルト３０６上に落下する。
【００５１】
この点、可動ベルト３０６は、上述したように、左右が等しい高さに設けられている。その一方で、可動ベルト３０６の移動方向は、パチンコ球が転動し得る上側のベルトに関しては、中央通路３０８からワープ出口３０５に向かった矢印Ｆ１である。さらに、可動ベルト３０６は、第１種中央役物３０１の奥側から正面のステージ３０７に向けて下りに傾斜している。
【００５２】
従って、可動ベルト３０６に落下したパチンコ球は、その落下した際の転動方向や可動ベルト３０６の下り傾斜によって、ワープ出口３０５からステージ３０７に向けて可動ベルト３０６上を横切るように転動しようとするが、可動ベルト３０６の移動方向である矢印Ｆ１と交差するため、可動ベルト３０６の移動方向に流されながら、可動ベルト３０６の正面側から落下し、ステージ３０７又はその右側外に向けて落下することになる。
【００５３】
ここで、図３１に第１種中央役物３０１の筐体３１１の三面図を示す。また、図３２に２つのモータ３２１の三面図を示し、図３３に可動ベルト３０６の一方のプーリー３３１の二面図を示し、図３４に可動ベルト３０６の他方のプーリー３４１の二面図を示す。
【００５４】
また、図３５にステージ３０７の右側端部３１０の三面図を示し、図３６に歯車４６１の三面図を示す。
【００５５】
尚、図３１の筐体３１１の軸穴３１３に対しては、図３４の他方のプーリー３４１の軸３４２が軸支される。また、図３１の筐体３１１の軸穴３１２に対しては、図３３の一方のプーリー３３１の軸３３２が軸支され、さらに、その軸３３２に対しては、図３２のモーター３２１の駆動軸３２２が直結される。これにより、可動ベルト３０６を駆動させることができる。
【００５６】
また、図３１の筐体３１１の長穴３７１に対しては、図３５の右側端部３１０のラック３８１が挿入され、そのラック３８１を図３６の歯車３６１と歯合させている。さらに、図３６の歯車３６１の軸穴３６２に対しては、図３２のモーター３２１の駆動軸３２２が直結される。これにより、ステージ３０７の右側端部３１０を駆動させることができる。
【００５７】
また、図４３に、第３実施の形態に係るパチンコ機３５１の正面図を示す。図４３に示すように、可動ベルト３０６の正面にはガラス３５３が配置され、中央出口３０９の下方には第１種始動口３５４が配設されている。従って、中央出口３０９からパチンコ球が落下すると、当該パチンコ球は第１種始動口３５４に向かうことになり、遊技者側にとって有利な状態になる。また、第３実施の形態に係るパチンコ機３５１の遊技盤３５２（ステージ３０７の右側端部３１０が右側へ最大に開いた状態）の正面図を図３７に示し、当該遊技盤３５２の平面図を図３８に示し、当該遊技盤３５２の側面図を図３９に示す。また、第３実施の形態に係るパチンコ機３５１の遊技盤３５２（ステージ３０７6の右側端部３１０が左側へ最小に開いた状態）の正面図を図４０に示し、当該遊技盤３５２の平面図を図４１に示し、当該遊技盤３５２の側面図を図４２に示す。
【００５８】
以上詳細に説明したように、第３実施の形態のパチンコ機３５１の第１種中央役物３０１では、可動ベルト３０６が、ガラス３５３の面に向かって下方に傾斜した状態で、且つ、左右の高さが等しい位置に配置されている。さらに、可動ベルト３０６は、左から右の矢印Ｆ１の方向に向かって移動している。従って、ワープ出口３０５から可動ベルト３０６に落下したパチンコ球は、可動ベルト３０６の移動方向である左から右の矢印Ｆ１の方向を横切って、ワープ出口３０５から正面側へ転動する際に、可動ベルト３０６に落下されるときの速度や回転などに応じて、可動ベルト３０６上を左から右の矢印Ｆ１に流されながら可動ベルト３０６の正面側より無作為に落下するので、遊技者側やホール側が有利・不利になることなくパチンコ球の転動方向に影響を与えることができる。
【００５９】
また、このとき、可動ベルト３０６の正面側の下方には、ステージ３０７の右側端部３１０が左右方向に往復動作を繰り返すことによりその大きさが変化するので、可動ベルト３０６の正面側より無作為に落下するパチンコ球がステージ３０７に落下し、ひいては、中央出口３０９を経由して、第１種始動口３５４に入賞するか否かも無作為に行われることになる。
【００６０】
次に、第４実施の形態のパチンコ機について説明する。
図４４は、第４実施の形態である第１種のパチンコ機の遊技盤の中央に配設される第１種中央役物を示した斜視図である。図４４に示すように、第１種中央役物４０１には、その正面の左側中央付近において、特別図柄などを表示する液晶表示装置４０２が配設されている。
【００６１】
また、第１種中央役物４０１の上端面の右側付近には、パチンコ球が通過することが可能なワープ入口４０３が形成されている。そして、ワープ入口４０３は、パチンコ球が流下し得るように第１種中央役物４０１が貫通されたワープ通路４０４に連通している。一方、第１種中央役物４０１の正面の右側下部付近には、ワープ通路４０４に連通するとともにパチンコ球が通過することが可能なワープ出口４０５が形成されている。
【００６２】
また、ワープ出口４０５の下方には、左右の高さが等しい可動ベルト４０６が形成されている。さらに、可動ベルト４０６の左端側の下方であって、液晶表示装置４０２の下方中央に向かって下りに傾斜したパチンコ球が流下し得るステージ４０７が形成されている。この点、ステージ４０７の右側端部４１０は、可動ベルト４０６の下方に設けられた長穴４７１に沿って左右に往復移動することにより、図４４と図４５に示すように、大きさが変化する。さらに、ステージ４０７の左端側の下方であって、液晶表示装置４０２の下方中央には、パチンコ球が流下し得る中央通路４０８が形成されている。そして、中央通路４０８は、第１種中央役物４０１の正面の中央下部付近において形成されるとともにパチンコ球が通過することが可能な中央出口４０９に連通している。
【００６３】
従って、ワープ入口４０３に進入したパチンコ球は、ワープ通路４０４を介して、ワープ出口４０５から放出され、可動ベルト４０６上に落下する。
【００６４】
この点、可動ベルト４０６は、上述したように、左右が等しい高さに設けられている。その一方で、可動ベルト４０６の移動方向は、パチンコ球が転動し得る上側のベルトに関しては、中央通路４０８からワープ出口４０５に向かった矢印Ｆ２である。さらに、可動ベルト４０６は、第１種中央役物４０１の奥側から正面のステージ４０７に向けて下りに傾斜している。
【００６５】
従って、可動ベルト４０６に落下したパチンコ球は、その落下した際の転動方向や可動ベルト４０６の下り傾斜によって、ワープ出口４０５からステージ４０７に向けて可動ベルト４０６上を横切るように転動しようとするが、可動ベルト４０６の移動方向である矢印Ｆ２と交差するため、可動ベルト４０６の移動方向に流されながら、可動ベルト４０６の正面側から落下し、ステージ４０７又はその右側外に向けて落下することになる。
【００６６】
ここで、図４６に第１種中央役物４０１の筐体４１１の三面図を示す。また、図４７に２つのモータ４２１の三面図を示し、図４８に可動ベルト４０６の一方のプーリー４３１の二面図を示し、図４９に可動ベルト４０６の他方のプーリー４４１の二面図を示す。
【００６７】
また、図５０にステージ４０７の右側端部４１０の三面図を示し、図５１に歯車４６１の三面図を示す。
【００６８】
尚、図４６の筐体４１１の軸穴４１３に対しては、図４９の他方のプーリー４４１の軸４４２が軸支される。また、図４６の筐体４１１の軸穴４１２に対しては、図４８の一方のプーリー４３１の軸４３２が軸支され、さらに、その軸４３２に対しては、図４７のモーター４２１の駆動軸４２２が直結される。これにより、可動ベルト４０６を駆動させることができる。
【００６９】
また、図４６の筐体４１１の長穴４７１に対しては、図５０の右側端部４１０のラック４８１が挿入され、そのラック４８１を図５１の歯車４６１と歯合させている。さらに、図５１の歯車４６１の軸穴４６２に対しては、図４７のモーター４２１の駆動軸４２２が直結される。これにより、ステージ４０７の右側端部４１０を駆動させることができる。
【００７０】
また、図５８に、第４実施の形態に係るパチンコ機４５１の正面図を示す。図５８に示すように、可動ベルト４０６の正面にはガラス４５３が配置され、中央出口４０９の下方には第１種始動口４５４が配設されている。従って、中央出口４０９からパチンコ球が落下すると、当該パチンコ球は第１種始動口４５４に向かうことになり、遊技者側にとって有利な状態になる。また、第４実施の形態に係るパチンコ機４５１の遊技盤４５２（ステージ４０７の右側端部４１０が右側へ最大に開いた状態）の正面図を図５５に示し、当該遊技盤４５２の平面図を図５６に示し、当該遊技盤４５２の側面図を図５７に示す。また、第４実施の形態に係るパチンコ機４５１の遊技盤４５２（ステージ４０７の右側端部４１０が左側へ最小に開いた状態）の正面図を図５２に示し、当該遊技盤４５２の平面図を図５３に示し、当該遊技盤４５２の側面図を図５４に示す。
【００７１】
以上詳細に説明したように、第４実施の形態のパチンコ機４５１の第１種中央役物４０１では、可動ベルト４０６が、ガラス４５３の面に向かって下方に傾斜した状態で、且つ、左右の高さが等しい位置に配置されている。さらに、可動ベルト４０６は、左から右の矢印Ｆ２の方向に向かって移動している。従って、ワープ出口４０５から可動ベルト４０６に落下したパチンコ球は、可動ベルト４０６の移動方向である左から右の矢印Ｆ２の方向を横切って、ワープ出口４０５から正面側へ転動する際に、可動ベルト４０６に落下されるときの速度や回転などに応じて、可動ベルト４０６上を左から右の矢印Ｆ２に流されながら可動ベルト４０６の正面側より無作為に落下するので、遊技者側やホール側が有利・不利になることなくパチンコ球の転動方向に影響を与えることができる。
【００７２】
また、このとき、可動ベルト４０６の正面側の下方には、ステージ４０７の右側端部４１０が左右方向に往復動作を繰り返すことによりその大きさが変化するので、可動ベルト
４０６の正面側より無作為に落下するパチンコ球がステージ４０７に落下し、ひいては、中央出口４０９を経由して、第１種始動口４５４に入賞するか否かも無作為に行われることになる。
【００７３】
尚、本発明は上記実施の形態に限定されるものでなく、その趣旨を逸脱しない範囲で様々な変更が可能である。
例えば、第１実施の形態のパチンコ機５１及び、第２実施の形態のパチンコ機１５１、第３実施の形態のパチンコ機３５１、第４実施の形態のパチンコ機４５１において、モーター２１，１２１，３２１，４２１への供給電圧を測定することによって、可動ベルト６，１０６，３０６，４０６の作動状況を確認してもよい。そして、この確認動作は、電源投入直後に行ってもよいし、パチンコ遊技処理が所定時間（例えば、０．４秒）毎に行われる割込処理で行ってもよい。
【００７４】
また、第１実施の形態のパチンコ機５１及び、第２実施の形態のパチンコ機１５１、第３実施の形態のパチンコ機３５１、第４実施の形態のパチンコ機４５１において、可動ベルト６，１０６，３０６，４０６のベルトには、パチンコ球に対する摩擦を確保するために、凹凸をゴムなどで設けてもよいが、その他にも、太糸の織布や、凹凸ができるように立体的に織り込んだもの、不織布などで構成したり、多数の気泡を含んだ発砲ウレタンゴムなどで製作したものを使用してもよい。
この点、可動ベルト６，１０６，３０６，４０６のベルトの材質としては、ゴム（ポリウレタン、ＮＢＲ、天然ゴム、ＥＰＤＭ、クロロプレンゴム、ＴＰＵ、ネオプレンなど）の単素材や、心体（綿織布、ポリエステル織布、ナイロン織布、アラミド織布、綿不織布など）や心線の上に表面材のゴムを成形したものを使用してもよい。
このようにすれば、可動ベルト６，１０６，３０６，４０６上を転動するパチンコ球の速度を遅くすることができるし、当該パチンコ球の転動方向に影響を与えることができる。
【００７５】
また、第１実施の形態のパチンコ機５１及び、第２実施の形態のパチンコ機１５１、第３実施の形態のパチンコ機３５１、第４実施の形態のパチンコ機４５１において、可動ベルト６，１０６，３０６，４０６のベルトに対して、磁性体を貼ったり、埋め込んだり、織り込んだりすれば、当該磁性体の磁力が及んだパチンコ球については、第２種Ｖゾーン７，１０７やステージ３０７，４０７の右側端部３１０，４１０から遠ざけた位置で、可動ベルト６，１０６，３０６，４０６の正面側より無作為に落下させることができる。
【００７６】
また、第１実施の形態のパチンコ機５１及び、第２実施の形態のパチンコ機１５１、第３実施の形態のパチンコ機３５１、第４実施の形態のパチンコ機４５１において、可動ベルト６，１０６，３０６，４０６の左右の高さに差を設けることにより、第２種Ｖゾーン７，１０７やステージ３０７，４０７の右側端部３１０，４１０から遠ざけた位置で、可動ベルト６，１０６，３０６，４０６の正面側より無作為に落下させることができる。
【００７７】
また、第３実施の形態のパチンコ機３５１や、第４実施の形態のパチンコ機４５１において、可動ベルト３０６，４０６の正面側に、保護カバーを立設させてもよい。また、この場合には、可動ベルト３０６，４０６において、上側と下側のベルトの間隔をパチンコ球の直径より小さくし、さらに、パチンコ球が転動できない下側のベルトと筐体３１１，４１１の間をも、パチンコ球の直径より小さくする。このようにすれば、可動ベルト３０６，４０６の周辺でパチンコ球が詰まることが発生しない。
【産業上の利用可能性】
【００７８】
本発明は、パチンコ機の役物として使用される可動ベルトの構成・制御に適用し得る。
【図面の簡単な説明】
【００７９】
【図１】第１実施形態のパチンコ機の第２種中央役物の斜視図である。
【図２】第１実施形態のパチンコ機の第２種中央役物の斜視図である。
【図３】第１実施形態のパチンコ機の第２種中央役物の筐体の三面図である。
【図４】第１実施形態のパチンコ機の第２種中央役物のモーターの三面図である。
【図５】第１実施形態のパチンコ機の第２種中央役物のプーリーの二面図である。
【図６】第１実施形態のパチンコ機の第２種中央役物のプーリーの二面図である。
【図７】第１実施形態のパチンコ機の第２種中央役物の第２種Ｖゾーン可動片の四面図である。
【図８】第１実施形態のパチンコ機の遊技盤の正面図である。
【図９】第１実施形態のパチンコ機の遊技盤の平面図である。
【図１０】第１実施形態のパチンコ機の遊技盤の側面図である。
【図１１】第１実施形態のパチンコ機の遊技盤の正面図である。
【図１２】第１実施形態のパチンコ機の遊技盤の平面図である。
【図１３】第１実施形態のパチンコ機の遊技盤の側面図である。
【図１４】第１実施形態のパチンコ機の正面図である。
【図１５】第２実施形態のパチンコ機の第２種中央役物の斜視図である。
【図１６】第２実施形態のパチンコ機の第２種中央役物の斜視図である。
【図１７】第２実施形態のパチンコ機の第２種中央役物の筐体の三面図である。
【図１８】第２実施形態のパチンコ機の第２種中央役物のモーターの三面図である。
【図１９】第２実施形態のパチンコ機の第２種中央役物のプーリーの二面図である。
【図２０】第２実施形態のパチンコ機の第２種中央役物のプーリーの二面図である。
【図２１】第２実施形態のパチンコ機の第２種中央役物の第２種Ｖゾーン可動片の三面図である。
【図２２】第２実施形態のパチンコ機の遊技盤の正面図である。
【図２３】第２実施形態のパチンコ機の遊技盤の平面図である。
【図２４】第２実施形態のパチンコ機の遊技盤の側面図である。
【図２５】第２実施形態のパチンコ機の遊技盤の正面図である。
【図２６】第２実施形態のパチンコ機の遊技盤の平面図である。
【図２７】第２実施形態のパチンコ機の遊技盤の側面図である。
【図２８】第２実施形態のパチンコ機の正面図である。
【図２９】第３実施形態のパチンコ機の第１種中央役物の斜視図である。
【図３０】第３実施形態のパチンコ機の第１種中央役物の斜視図である。
【図３１】第３実施形態のパチンコ機の第１種中央役物の筐体の三面図である。
【図３２】第３実施形態のパチンコ機の第１種中央役物のモーターの三面図である。
【図３３】第３実施形態のパチンコ機の第１種中央役物のプーリーの二面図である。
【図３４】第３実施形態のパチンコ機の第１種中央役物のプーリーの二面図である。
【図３５】第３実施形態のパチンコ機の第１種中央役物のステージの右側端部の三面図である。
【図３６】第３実施形態のパチンコ機の第１種中央役物の歯車の三面図である。
【図３７】第３実施形態のパチンコ機の遊技盤の正面図である。
【図３８】第３実施形態のパチンコ機の遊技盤の平面図である。
【図３９】第３実施形態のパチンコ機の遊技盤の側面図である。
【図４０】第３実施形態のパチンコ機の遊技盤の正面図である。
【図４１】第３実施形態のパチンコ機の遊技盤の平面図である。
【図４２】第３実施形態のパチンコ機の遊技盤の側面図である。
【図４３】第３実施形態のパチンコ機の正面図である。
【図４４】第４実施形態のパチンコ機の第１種中央役物の斜視図である。
【図４５】第４実施形態のパチンコ機の第１種中央役物の斜視図である。
【図４６】第４実施形態のパチンコ機の第１種中央役物の筐体の三面図である。
【図４７】第４実施形態のパチンコ機の第１種中央役物のモーターの三面図である。
【図４８】第４実施形態のパチンコ機の第１種中央役物のプーリーの二面図である。
【図４９】第４実施形態のパチンコ機の第１種中央役物のプーリーの二面図である。
【図５０】第４実施形態のパチンコ機の第１種中央役物のステージの右側端部の三面図である。
【図５１】第４実施形態のパチンコ機の第１種中央役物の歯車の三面図である。
【図５２】第４実施形態のパチンコ機の遊技盤の正面図である。
【図５３】第４実施形態のパチンコ機の遊技盤の平面図である。
【図５４】第４実施形態のパチンコ機の遊技盤の側面図である。
【図５５】第４実施形態のパチンコ機の遊技盤の正面図である。
【図５６】第４実施形態のパチンコ機の遊技盤の平面図である。
【図５７】第４実施形態のパチンコ機の遊技盤の側面図である。
【図５８】第４実施形態のパチンコ機の正面図である。
【符号の説明】
【００８０】
１  中央役物
２Ａ，２Ｂ  開閉翼
３  受皿
４  背面通路
６  可動ベルト
７  第２種Ｖゾーン
２１  モーター
３１  プーリー
３２  プーリー
５１  パチンコ機
５３  ガラス
６１  第２種Ｖゾーン可動片
１０１  中央役物
１０２Ａ，１０２Ｂ  開閉翼
１０３  受皿
１０４  背面通路
１０６  可動ベルト
１０７  第２種Ｖゾーン
１２１  モーター
１３１  プーリー
１３２  プーリー
１５１  パチンコ機
１５３  ガラス
１６１  第２種Ｖゾーン可動片
３０１  中央役物
３０３  ワープ入口
３０４  ワープ通路
３０５  ワープ出口
３０６  可動ベルト
３０７  ステージ
３０８  中央通路
３０９  中央出口
３１０  ステージの右側端部
３２１  モーター
３３１  プーリー
３３２  プーリー
３５１  パチンコ機
３５３  ガラス
３６１  第２種Ｖゾーン可動片
４０１  中央役物
４０３  ワープ入口
４０４  ワープ通路
４０５  ワープ出口
４０６  可動ベルト
４０７  ステージ
４０８  中央通路
４０９  中央出口
４１０  ステージの右側端部
４２１  モーター
４３１  プーリー
４３２  プーリー
４５１  パチンコ機
４５３  ガラス
４６１  第２種Ｖゾーン可動片
【図１】
2005334368.tif 000003
【図２】
2005334368.tif 000004
【図３】
2005334368.tif 000005
【図４】
2005334368.tif 000006
【図５】
2005334368.tif 000007
【図６】
2005334368.tif 000008
【図７】
2005334368.tif 000009
【図８】
2005334368.tif 000010
【図９】
2005334368.tif 000011
【図１０】
2005334368.tif 000012
【図１１】
2005334368.tif 000013
【図１２】
2005334368.tif 000014
【図１３】
2005334368.tif 000015
【図１４】
2005334368.tif 000016
【図１５】
2005334368.tif 000017
【図１６】
2005334368.tif 000018
【図１７】
2005334368.tif 000019
【図１８】
2005334368.tif 000020
【図１９】
2005334368.tif 000021
【図２０】
2005334368.tif 000022
【図２１】
2005334368.tif 000023
【図２２】
2005334368.tif 000024
【図２３】
2005334368.tif 000025
【図２４】
2005334368.tif 000026
【図２５】
2005334368.tif 000027
【図２６】
2005334368.tif 000028
【図２７】
2005334368.tif 000029
【図２８】
2005334368.tif 000030
【図２９】
2005334368.tif 000031
【図３０】
2005334368.tif 000032
【図３１】
2005334368.tif 000033
【図３２】
2005334368.tif 000034
【図３３】
2005334368.tif 000035
【図３４】
2005334368.tif 000036
【図３５】
2005334368.tif 000037
【図３６】
2005334368.tif 000038
【図３７】
2005334368.tif 000039
【図３８】
2005334368.tif 000040
【図３９】
2005334368.tif 000041
【図４０】
2005334368.tif 000042
【図４１】
2005334368.tif 000043
【図４２】
2005334368.tif 000044
【図４３】
2005334368.tif 000045
【図４４】
2005334368.tif 000046
【図４５】
2005334368.tif 000047
【図４６】
2005334368.tif 000048
【図４７】
2005334368.tif 000049
【図４８】
2005334368.tif 000050
【図４９】
2005334368.tif 000051
【図５０】
2005334368.tif 000052
【図５１】
2005334368.tif 000053
【図５２】
2005334368.tif 000054
【図５３】
2005334368.tif 000055
【図５４】
2005334368.tif 000056
【図５５】
2005334368.tif 000057
【図５６】
2005334368.tif 000058
【図５７】
2005334368.tif 000059
【図５８】
2005334368.tif 000060